(57)【要約】【課題】アナログＴＶとデジタルＴＶが混在した状況であっても、各受像機が、地上デジタル放送の番組を適切に受像することが可能となる放送信号変換装置を提供する。【解決手段】地上デジタル放送の放送信号を受信する受信部と、該受信した放送信号に基づいて、地上デジタル放送の放送番組の映像を表すアナログ信号を生成する、アナログ信号生成部と、地上デジタル放送の放送信号と前記アナログ信号が多重された高周波を生成する、高周波生成部と、を備えた放送信号変換装置とする。【選択図】図１
2010141689.tif 000002
【特許請求の範囲】
【請求項１】
地上デジタル放送の放送信号を受信する受信部と、
該受信した放送信号に基づいて、地上デジタル放送の放送番組の映像を表すアナログ信号を生成する、アナログ信号生成部と、
地上デジタル放送の放送信号と前記アナログ信号が多重された高周波を生成する、高周波生成部と、
を備えたことを特徴とする放送信号変換装置。
【請求項２】
前記高周波生成部は、
前記アナログ信号が、現在又は過去における地上アナログ放送用のチャンネルに多重された高周波を生成することを特徴とする請求項１に記載の放送信号変換装置。
【請求項３】
前記高周波生成部は、
前記アナログ信号が、ＶＨＦ１ｃｈからＶＨＦ１２ｃｈの何れかのチャンネルに多重された高周波を生成することを特徴とする請求項２に記載の放送信号変換装置。
【請求項４】
地上デジタル放送の放送番組についての番組情報を受信して取得する、番組情報取得部を備え、
前記アナログ信号生成部は、
前記放送番組の映像に、該放送番組についての番組情報を重畳させ、
該重畳させた映像を表すアナログ信号を生成することを特徴とする請求項１から請求項３の何れかに記載の放送信号変換装置。
【請求項５】
地上デジタル放送の各放送番組についての番組表を受信して取得する、番組表取得部と、
該番組表を表す映像のアナログ信号である番組表信号を生成する、番組表信号生成部と、
を備え、
前記高周波生成部は、
地上デジタル放送の放送信号、前記アナログ信号、および該番組表信号が多重された高周波を生成することを特徴とする請求項１から請求項３の何れかに記載の放送信号変換装置。
【発明の詳細な説明】
【技術分野】
【０００１】
本発明は、放送信号の方式を変換する放送信号変換装置に関する。
【背景技術】
【０００２】
地上デジタル放送は２００３年に開始され、ハイビジョン放送などにより、高画質な映像を視聴者に提供することが可能となっている。また現時点（２００８年）では、地上デジタル放送と地上アナログ放送の双方が実施されているが、電波の有効利用等のために、地上アナログ放送は２０１１年に廃止されることが決定している。
【０００３】
そのため、アナログ放送のみに対応した従来のテレビ放送受像機（受像機）を所持しているユーザにとっては、地上デジタル放送の番組を視聴するために、受像機の買換え等の対応が必要となる。このような状況の中、ユーザの負担を軽減させるための技術も提案されている。
【０００４】
例えば特許文献１には、デジタル放送の放送信号をアナログ信号に変換する装置が提案されている。当該装置によれば、従来のアナログ放送のみに対応した受像機を用いて、デジタル放送を視聴することが可能とされている。
【特許文献１】特開２００３−２２４７８０号公報
【発明の開示】
【発明が解決しようとする課題】
【０００５】
ところで、例えば学校、病院、ホテル、旅館等の施設では、一般的に、複数台の受像機が設置されている。またこのような施設では、古くなった受像機から新しいものに買い替えるといったことが行われた結果、旧来の地上アナログ放送しか受像できない受像機（以下、「アナログＴＶ」と称することがある）と、地上デジタル放送を受像することが可能な受像機（以下、「デジタルＴＶ」と称することがある）が、混在した状況となっていることが多い。
【０００６】
またこのような施設では、例えば図７に示すように、複数のアナログＴＶやデジタルＴＶが、分配器５２を介してアンテナ５１に接続された形態で使用される。これにより、アンテナ数を極力抑えつつ、地上アナログ放送と地上デジタル放送が共に実施されている現時点においては、アナログＴＶは地上アナログ放送を受像することができ、デジタルＴＶは地上デジタル放送を受像することができる。
【０００７】
しかし、将来的に地上アナログ放送が廃止された場合には、アナログＴＶでテレビ放送を受像することはできなくなる。なお、特許文献１に提案されているような装置を、アンテナ５１と分配器５２の間に設ければ、アナログＴＶであっても、地上デジタル放送を受像することは可能であるようにも見える。
【０００８】
しかしこのようにすると、デジタルＴＶに、地上デジタル放送を受像させることができなくなる。また仮に、デジタルＴＶにアナログ信号の処理機能が設けられていたとしても、アナログ信号を受像する場合は、デジタル放送をデジタル信号のまま受像する場合のように、高画質な表示等を行うことが難しいといえる。
【０００９】
また施設内の各受像機を、デジタルＴＶ（或いはアナログＴＶ）に統一するために、受像機を買い替えることは、設備投資費の増大を招くことになる。本発明は、上述した問題点に鑑み、アナログＴＶとデジタルＴＶが混在した状況であっても、各受像機が、地上デジタル放送の番組を適切に受像することが可能となる、放送信号変換装置の提供を目的とする。
【課題を解決するための手段】
【００１０】
上記目的を達成するため、本発明に係る放送信号変換装置は、地上デジタル放送の放送信号を受信する受信部と、該受信した放送信号に基づいて、地上デジタル放送の放送番組の映像を表すアナログ信号を生成する、アナログ信号生成部と、地上デジタル放送の放送信号と前記アナログ信号が多重された高周波を生成する、高周波生成部と、を備えた構成とする。
【００１１】
本構成によれば、生成された高周波が受像機によって受信される場合、当該受像機は、それがアナログＴＶとデジタルＴＶの何れであっても、地上デジタル放送の番組を受像することが可能となる。また、デジタルＴＶにおいては、地上デジタル放送の放送信号（デジタル信号）を用いることができるから、放送番組の高画質な表示等を行うことが容易となる。その結果、アナログＴＶとデジタルＴＶが混在した状況であっても、各受像機が、地上デジタル放送を適切に受像することが可能となる。
【００１２】
なおここでの「アナログ信号」は、アナログＴＶに、所定の映像を受像させることが可能な形式の信号（例えばＮＴＳＣの方式に従ったもの）であるとする。
【００１３】
また上記構成において、前記高周波生成部は、前記アナログ信号が、現在又は過去における地上アナログ放送用のチャンネルに多重された高周波を生成する構成としてもよい。
【００１４】
本構成によれば、生成された高周波がアナログＴＶによって受信される場合、地上アナログ放送を受像していた場合と極力同じように、当該アナログＴＶに受像処理を実行させることができる。そのため、アナログＴＶにおいて放送番組が受像できないという不具合を極力回避させることができる。
【００１５】
また上記構成として、より具体的には、前記高周波生成部は、前記アナログ信号が、ＶＨＦ１ｃｈからＶＨＦ１２ｃｈの何れかのチャンネルに多重された高周波を生成する構成としてもよい。
【００１６】
また上記構成において、地上デジタル放送の放送番組についての番組情報を受信して取得する、番組情報取得部を備え、前記アナログ信号生成部は、前記放送番組の映像に、該放送番組についての番組情報を重畳させ、該重畳させた映像を表すアナログ信号を生成する構成としてもよい。
【００１７】
本構成によれば、視聴者は、現在視聴している放送番組についての番組情報を把握することが可能となる。なお「番組情報」は、例えばその放送番組のタイトル名など、当該放送番組の内容に関する何らかの情報のことである。
【００１８】
また上記構成において、地上デジタル放送の各放送番組についての番組表を受信して取得する、番組表取得部と、該番組表を表す映像のアナログ信号である番組表信号を生成する、番組表信号生成部と、を備え、前記高周波生成部は、地上デジタル放送の放送信号、前記アナログ信号、および該番組表信号が多重された高周波を生成する構成としてもよい。
【００１９】
本構成によれば、視聴者は、地上デジタル放送の各放送番組についての番組表を把握することが可能となる。なお「番組表」は、一般的なＥＰＧ情報のように、チャンネルごとおよび時間帯ごとの放送番組を示した表のことである。
【発明の効果】
【００２０】
上述の通り、本発明に係る放送信号変換装置によれば、生成された高周波が受像機によって受信される場合、当該受像機は、それがアナログＴＶとデジタルＴＶの何れであっても、地上デジタル放送の番組を受像することが可能となる。また、デジタルＴＶにおいては、地上デジタル放送の放送信号（デジタル信号）を用いることができるから、放送番組の高画質な表示等を行うことが容易となる。その結果、アナログＴＶとデジタルＴＶが混在した状況であっても、各受像機が、地上デジタル放送を適切に受像することが可能となる。
【発明を実施するための最良の形態】
【００２１】
先ず、日本国内における、現行の地上アナログ放送および地上デジタル放送の放送形態などについて、簡潔に説明する。地上アナログ放送は、ＮＴＳＣの方式に従ったアナログ信号の放送によって、地上デジタル放送は、ＩＳＤＢ−Ｔの方式に従ったデジタル信号の放送によって、それぞれ実現されている。
【００２２】
また地上アナログ放送と地上デジタル放送の何れにおいても、放送事業者ごとに一つの物理チャンネルが割当てられている。また地上アナログ放送では、１個の物理チャンネル（例えばＶＨＦ２ｃｈ）に、１個の放送チャンネル（一の放送番組の情報伝送に使用されるチャンネル）が割当てられているが、地上デジタル放送では、１個の物理チャンネルに、複数の放送チャンネルの割り当てが可能となっている。
【００２３】
例えば地上デジタル放送において、１個の物理チャンネルにつき、ＨＤ放送の場合は１個の放送チャンネルが割当てられるが、ＳＤ放送の場合には、３個の放送チャンネルの割当てが可能である。なお通常、当該３個の放送チャンネルのうち、最初の放送チャンネルによる放送はプライマリサービスと呼ばれ、主となる放送チャンネルとして定義されている。
【００２４】
また地上アナログ放送および地上デジタル放送では、同一放送事業者であっても、使用する物理チャンネルが、地域ごとに異なっている場合がある。地上アナログ放送の受像機の場合、一般的に、国内の各地域のチャンネルテーブルが予め登録されており、初期設定時（設置時）に使用地域が指定されることで、以降は適切な受信が可能となる。
【００２５】
またスキャン機能を有している場合は、各物理チャンネルをスキャンすることで、キャリアのあるチャンネルを検知し、チャンネルテーブルを補正することが可能である。なおチャンネルテーブルには、各放送チャンネルについての、受信周波数帯、表示チャンネル、選局時のスキップの要否、および割当てるワンタッチボタンのナンバー（１〜１２）等の情報が含まれており、受像機での受信やワンタッチボタン選局に用いられる。
【００２６】
一方、地上デジタル放送では、各放送チャンネルにおいて、放送番組の映像や音声の情報等に付属し、付属情報も送信される。この付属情報には、放送事業者のＩＤ、チャンネル構成、放送番組の内容（番組のタイトル等）やその放送時間帯等を表すＥＰＧ情報、および推奨されるワンタッチボタン（リモコンボタン）のナンバーを表すリモコンキーＩＤ等の情報を有する、伝送情報テーブルが含まれている。地上デジタル放送の受像機は、設置後にスキャン機能を用いて各放送チャンネルに係る伝送情報テーブルを取得して、チャンネルテーブルを生成することになる。
【００２７】
以上を踏まえて、次に本発明の実施形態について、図１に示す構成の放送信号変換装置を挙げて、以下に説明する。図１に示すように、放送信号変換装置（以下、「変換装置」と略記することがある）１は、入力端子１１、分配器１２、チューナ／デスクランブラ１３、ＤＥＭＡＸ回路１４、ＡＶデコーダ１５、映像・音声処理回路１６、ＮＴＳＣエンコーダ１７、ＲＦ変換器１８、混合器Ａ１９、システムコントローラ２０、メモリ２１、表示情報生成回路２２、フィルタ２３、混合器Ｂ２４、および出力端子２５などを備えている。
【００２８】
入力端子１１は、外部のアンテナに接続されるようになっている。これにより、入力端子１１には、地上デジタル放送の各種放送信号（それぞれ、ＵＨＦ帯の異なるチャンネルに含まれている）を有する高周波が入力されることになる。なお、地上アナログ放送が廃止されるまでは、当該高周波（主にＶＨＦ帯のチャンネル）には、地上アナログ放送の信号も含まれる。また分配器１２は、入力端子１１に入力された高周波を、各系列のチューナ／デスクランブラ１３とフィルタ２３に分配する。
【００２９】
チューナ／デスクランブラ１３は、分配器１２から伝送された高周波から、予め選局チャンネルとして設定されているチャンネルの信号のみを抽出する。そして、抽出された信号を復調して後段側に伝送する。なお、チューナ／デスクランブラ１３からＲＦ変換器１８までの一連の装置は、１２系列（図１に示す、１列目〜１２列目）が設けられており、各系列は独立した処理を行う。
【００３０】
ＤＥＭＡＸ回路１４は、チューナ／デスクランブラ１３から伝送されてきた信号（ＴＳパケット）に対して、パケットの復号を行う。なお当該パケットは、放送番組の内容（映像および音声）を表すＭＰＥＧデータと、ＥＰＧ情報などを含む付属情報に分類される。そこでＤＥＭＡＸ回路１４は、ＭＰＥＧデータを、その伝送元と同系列のＡＶデコーダ１５に送出する一方、付属情報を、システムコントローラ２０に送出する。
【００３１】
ＡＶデコーダ１５は、ＤＥＭＡＸ回路１４から伝送されてきたＭＰＥＧデータを、映像信号と音声信号にデコードして、後段側に送出する。また映像・音声処理回路１６は、ＡＶデコーダ１５から伝送されてきた映像信号に、表示情報生成回路２２から伝送されてきた表示情報を重畳させる。そしてこの重畳がなされた映像信号とＡＶデコーダ１５から伝送された音声信号を、後段側に送出する。
【００３２】
ＮＴＳＣエンコーダ１７は、映像・音声処理回路１６から伝送されてきた映像信号と音声信号を用いて、これらの映像と音声を表すアナログ信号（ＮＴＳＣ方式の信号）を生成し、後段側に送出する。またＲＦ変換器１８は、ＮＴＳＣエンコーダ１７から伝送されてきたアナログ信号を、ＶＨＦ１ｃｈからＶＨＦ１２ｃｈの何れかのチャンネルのＲＦ信号に変換し、後段側に送出する。より具体的には、第ｎ列目のＲＦ変換器１８は、ＮＴＳＣエンコーダ１７から伝送されてきたアナログ信号を、ＶＨＦのｎチャンネルのＲＦ信号に変換し、混合器Ａ１９に送出するようになっている。なおＶＨＦ１ｃｈからＶＨＦ１２ｃｈは、現在または過去における地上アナログ放送用のチャンネルでもある。
【００３３】
混合器Ａ１９は、各ＲＦ変換器１８から伝送されてきた各チャンネルのＲＦ信号を混合させる。これにより、ＶＨＦ１ｃｈからＶＨＦ１２ｃｈの、各チャンネルのＲＦ信号が多重された高周波が生成される。生成された高周波は、混合器Ｂ２４に送出される。
【００３４】
システムコントローラ２０は、変換装置１の各部を制御する機能を有する。また、ＤＥＭＡＸ回路１４から伝送されてきた付属情報をメモリ２１に記録させる処理や、付属情報（特にＥＰＧ情報）に基づいて、表示情報生成回路２２に表示情報を生成させるための指示などを実行する。またシステムコントローラ２０は、変換装置１にセットされたＢＣＡＳカード（ＩＣカード）の情報を読み取って、地上デジタル放送の受信を可能とする役割も果たす。
【００３５】
表示情報生成回路２２は、システムコントローラ２０の指示に応じて、各種の表示情報（ＯＳＤ表示させる情報）を生成し、映像・音声処理回路１６に送出する。なお表示情報としては、現在放送中の番組ごとに、該番組のタイトルや放送チャンネル等を表す番組別表示情報（番組情報の一種）、および、放送チャンネルごとおよび時間帯ごとの放送番組を示した番組表を表す番組表情報などが生成される。
【００３６】
またフィルタ２３は、分配器１２から伝送されてきた高周波に対して、ＵＨＦ帯以外の成分（特にＶＨＦ帯の成分）を除去し、後段側に送出する。なおフィルタ２３としては、ＶＨＦ帯の成分を分波させて取り除くための分波器が、代わりに適用されても良い。
【００３７】
混合器Ｂ２４は、混合器Ａ１９から伝送されてきた高周波（ＶＨＦ帯の信号）と、フィルタ２３から伝送されてきた高周波（ＵＨＦ帯の信号）を混合させて、それぞれが多重された高周波を生成する。生成された高周波は、出力端子２５を介して、変換装置１の外部（変換装置１に接続されている分配器や各受像機など）に出力される。
【００３８】
上述した構成の変換装置１は、実際に使用される場所（使用地域）に設置された後、通常使用に先だって、予め必要な初期設定が実行される。ここで変換装置１において行われる初期設定の内容について、図２に示すフローチャートを参照しながら、以下に説明する。
【００３９】
変換装置１は、随時、ユーザによる初期設定開始の指示（例えば、ボタンスイッチの押下）を受付けるようになっている（ステップＳ１）。そして初期設定開始の指示がなされたら（ステップＳ１のＹ）、システムコントローラ２０は、ＵＨＦ帯の各物理チャンネルをスキャンして、地上デジタル放送の各放送チャンネルに係る付属情報を取得する（ステップＳ２）。
【００４０】
なお当該スキャンは、例えば何れかのチューナ／デスクランブラ１３における選局チャンネルを、ＵＨＦ帯の各物理チャンネルに順次切り替えることにより実行される。また付属情報には、先述した通り、放送事業者のＩＤやリモコンキーＩＤ等の情報を有する、伝送情報テーブルが含まれている。
【００４１】
その後、システムコントローラ２０は、各系列のチューナ／デスクランブラ１３における選局チャンネルを設定する（ステップＳ３）。より具体的には、ステップＳ１の処理にて取得された付属情報に基づいて、リモコンキーＩＤがＮである放送事業者のプライマリサービスの放送チャンネルを、第Ｎ列目のチューナ／デスクランブラ１３における選局チャンネルに設定する。
【００４２】
例えば、リモコンキーＩＤが「６」である放送事業者のプライマリサービスの放送チャンネルが存在していれば、この放送チャンネルを、第６列目に係る選局チャンネルに設定する。このようにすれば、リモコンキーＩＤが「Ｎ」である放送事業者のプライマリサービスに係る情報は、結果的に、変換装置１から出力される高周波における、ＶＨＦの「Ｎ」チャンネルに多重されることとなる。
【００４３】
なお、地上デジタル放送でのリモコンキーＩＤがＮである放送事業者は、地上アナログ放送において、ＶＨＦのＮチャンネルを用いて放送していることが多い。また、地上アナログ放送の受像機では、リモコンボタンのナンバー（例えば「６」）とＶＨＦ帯のチャンネル（例えばＶＨＦ「６」ｃｈ）は、一致しているのが通常である。
【００４４】
そのため上述したように、リモコンキーＩＤがＮである放送事業者のプライマリサービスの放送チャンネルが、ＶＨＦのＮチャンネルに多重される（割当てられる）変換装置１によれば、地上アナログ放送の視聴に慣れているユーザに、極力違和感を与えないようにすることが可能である。なお各系列に係る選局チャンネルは、ユーザが任意に設定できるようになっていても構わない。
【００４５】
またその後、システムコントローラ２０は、ＶＨＦ１ｃｈ〜１２ｃｈのうちの何れかのチャンネルを、ＥＰＧ表示専用とするチャンネル（ＥＰＧ表示チャンネル）に設定する（ステップＳ４）。より具体的には、ステップＳ３の処理において、選局チャンネルが設定されなかった系列に対応するＶＨＦチャンネル（つまり、空いているＶＨＦチャンネル）の一つを、ＥＰＧ表示チャンネルに設定する。
【００４６】
なお、ユーザに指定されたＶＨＦチャンネルをＥＰＧ表示チャンネルに設定してもよく、ＥＰＧ表示チャンネルを設けないようにしてもよい。また、上述のようにしてＥＰＧ表示チャンネルが設定された後、ユーザの指示に応じて、ＥＰＧ表示チャンネルの変更が可能であるようにしてもよい。
【００４７】
ここまでの処理により、変換装置１での主な初期設定が完了する。初期設定の完了後、変換装置１は、通常動作を継続的に実行する。次に、変換装置１における通常動作の内容について、具体的事例を挙げて、以下に説明する。
【００４８】
本事例では予め初期設定において、第１列目のチューナ／デスクランブラ１３の選局チャンネルとして、地上デジタル放送の放送チャンネルの一つであるＵＨＦのＡチャンネルが設定され、第２列目のチューナ／デスクランブラ１３の選局チャンネルとして、地上デジタル放送の放送チャンネルの一つであるＵＨＦのＢチャンネルが設定されたとする。また、ＶＨＦ３ｃｈが、ＥＰＧ表示チャンネルに設定されたとする。
【００４９】
この場合、第１列目における、チューナ／デスクランブラ１３からＲＦ変換器１８までの一連の装置によって、Ａチャンネルに係る放送番組（「番組Ｐ」とする）の映像および音声のアナログ信号（ＶＨＦ１ｃｈのＲＦ信号）が生成され、混合器Ａ１９に出力される。また第２列目における、チューナ／デスクランブラ１３からＲＦ変換器１８までの一連の装置によって、Ｂチャンネルに係る放送番組（「番組Ｑ」とする）の映像および音声のアナログ信号（ＶＨＦ２ｃｈのＲＦ信号）が生成され、混合器Ａ１９に出力される。
【００５０】
一方、システムコントローラ２０は、ＤＥＭＡＸ回路１４から取得された各放送チャンネルの付属情報を用い、表示情報生成回路２２に対して、番組Ｐに係る番組別表示情報を生成して、第１列目の映像・音声処理回路１６に送出するよう指示を出す。また同様に、番組Ｑに係る番組別表示情報を生成して、第２列目の映像・音声処理回路１６に送出するよう指示を出す。また更に、番組表情報を生成して、第３列目の映像・音声処理回路１６に送出するよう指示を出す。
【００５１】
これにより、表示情報生成回路２２は、システムコントローラ２０の指示に従って各表示情報を生成し、映像・音声処理回路１６に送出する。その結果、第１列目および第２列目の映像・音声処理回路１６は、表示情報生成回路２２から伝送された番組別表示情報を、放送番組の映像に重畳させる。この重畳は、画面の上部に常時、もしくは、番組の切り替わりからの一定期間においてなされる。
【００５２】
また、第３列目の映像・音声処理回路１６では、番組表情報が画面全体に表示される映像信号が生成され、後段側に出力される。そのため、第３列目のＲＦ変換器１８からは、番組表を表す映像のアナログ信号（ＶＨＦ３ｃｈのＲＦ信号）が出力されることになる。
【００５３】
変換装置１において上述した通常動作がなされることにより、変換装置１に接続されているアナログＴＶでは、以下のような映像が表示される。アナログＴＶ側で、ＶＨＦ１ｃｈが選局されている場合は、図３に示すように、放送番組Ｐの映像が表示されるとともに、放送番組Ｐに係る放送チャンネルおよびタイトルが、画面上部に表示（ＯＳＤ表示）される。そのため視聴者は、放送番組Ｐを視聴することができるとともに、当該番組の放送チャンネルやタイトルを把握することも可能となっている。なお、ＶＨＦ２ｃｈが選局されている場合も、同趣旨の表示がなされる。
【００５４】
またアナログＴＶ側で、ＶＨＦ３ｃｈが選局されている場合は、図４に示すように、放送番組の映像自体は表示されないが、画面全体に番組表が表示（ＯＳＤ表示）される。そのため視聴者は、各時間帯にて各チャンネルで、どのような番組が放送されるかを把握することが可能となっている。
【００５５】
ここで、地上アナログ放送が廃止された後における、地上波のテレビ放送の状況、および変換装置１の出力の概要を、図５に示す。本図に示すように、地上波のテレビ放送では、ＶＨＦ帯の各チャンネルは使用されず、ＵＨＦ帯の各チャンネル（ここでは、Ａ〜Ｃチャンネル等）が用いられて、地上デジタル放送の各放送番組（ここでは、放送番組Ｐ〜Ｒ等）が放送される。
【００５６】
一方、変換装置１によれば、ＵＨＦ帯の各チャンネルを用いて放送されている各放送番組については、そのまま、つまり放送局からの放送と同じチャンネルが用いられ、デジタル信号として出力される。そして更に、変換装置１によれば、地上デジタル放送の放送番組（ここでは、放送番組ＰとＱ等）の映像および音声が、ＶＨＦ帯のチャンネル（ここでは、ＶＨＦ１ｃｈと２ｃｈ等）が用いられアナログ信号として出力される。また、地上デジタル放送の各放送番組についての番組表が、ＶＨＦ帯のチャンネル（ここでは、ＶＨＦ３ｃｈ）が用いられアナログ信号として出力される。
【００５７】
上述した変換装置１は、例えば複数の受像機を有する施設において、図６に示すように、アンテナ２と分配器３の間に配置されて使用される。この場合、分配器３に接続されている受像機４が、アナログＴＶであれば、変換装置１から出力されるＶＨＦ帯のアナログ信号を受信し、地上デジタル放送の番組に係る映像や音声を出力することが可能である。またデジタルＴＶであれば、変換装置１から出力されるＵＨＦ帯のデジタル信号を受信し、地上デジタル放送の番組に係る映像や音声を出力することが可能である。
【００５８】
このように、地上アナログ放送が廃止された場合、従来（図７を参照）では、アナログＴＶで地上デジタル放送を受像することができなかったのに対し、変換装置１を用いることによって、アナログＴＶで地上デジタル放送を受像することが可能となっている。その結果、施設の管理者等にとっては、施設内の各受像機をデジタルＴＶに統一するために、受像機を買い替えることなく、全ての受像機を活用することが可能となる。
【００５９】
なお変換装置１が用いられた場合、デジタルＴＶは、地上デジタル放送の内容がアナログ信号に変換されたものではなく、地上デジタル放送をデジタル信号のまま受像することができる。そのためデジタルＴＶは、地上デジタル放送を直接受像する場合と同様に、高画質な表示等を行うことができる。また変換装置１は、地上アナログ放送が廃止された後だけでなく、地上アナログ放送が実施されている時点においても使用可能である。
【００６０】
以上までに説明した通り、変換装置１は、地上デジタル放送の放送信号を受信する機能、該受信した放送信号に基づいて、地上デジタル放送の放送番組の映像を表すアナログ信号を生成する機能、および、地上デジタル放送の放送信号と前記アナログ信号が多重された高周波を生成する機能を備えている。
【００６１】
そのため、生成された高周波が受像機によって受信される場合、当該受像機は、それがアナログＴＶとデジタルＴＶの何れであっても、地上デジタル放送の番組を受像することが可能となっている。また、デジタルＴＶにおいては、地上デジタル放送の放送信号（デジタル信号）を用いることができるから、放送番組の高画質な表示等を行うことが容易となっている。その結果、アナログＴＶとデジタルＴＶが混在した状況であっても、各受像機が、地上デジタル放送を適切に受像することが可能となっている。
【００６２】
以上、本発明の実施形態について説明したが、本発明はこの内容に限定されるものではない。また本発明は、その主旨を逸脱しない範囲において、種々の改変を加えて実施されうる。
【産業上の利用可能性】
【００６３】
本発明は、テレビ放送受信システム等の分野において利用可能である。
【図面の簡単な説明】
【００６４】
【図１】本発明の実施形態に係る放送信号変換装置の構成図である。
【図２】当該変換装置において実行される初期設定に関する流れ図である。
【図３】当該変換装置に接続された受像機の表示状態に関する説明図である。
【図４】当該変換装置に接続された受像機の表示状態に関する説明図である。
【図５】当該変換装置の出力に関する説明図である。
【図６】当該変換装置を用いた場合の、受像機の使用形態に関する説明図である。
【図７】従来における、受像機の使用形態に関する説明図である。
【符号の説明】
【００６５】
１    放送信号変換装置
２    アンテナ
３    分配器
４    テレビ放送受像機
１１    入力端子
１２    分配器
１３    チューナ／デスクランブラ
１４    ＤＥＭＡＸ回路
１５    ＡＶデコーダ
１６    映像・音声処理回路
１７    ＮＴＳＣエンコーダ
１８    ＲＦ変換器
１９    混合器Ａ
２０    システムコントローラ
２１    メモリ
２２    表示情報生成回路
２３    フィルタ
２４    混合器Ｂ
２５    出力端子
【図１】
2010141689.tif 000003
【図２】
2010141689.tif 000004
【図３】
2010141689.tif 000005
【図４】
2010141689.tif 000006
【図５】
2010141689.tif 000007
【図６】
2010141689.tif 000008
【図７】
2010141689.tif 000009